(57)【要約】店舗販売時点情報管理装置および携帯電話１４に接続するための支払い端末装置、モバイルボイスネットワーク（５）および金融情報システムに接続するための許可センター１、モバイルネットワーク（５）および支払い端末装置（１０）に接続するための携帯電話（１４）を備える支払いデータ交換システムが開示されている。支払いデータ交換は、上記携帯電話（１４）とモバイルボイスネットワーク（５）とを経由して、支払い端末装置（１０）から許可センター（１）に対して実行され、反対に、モバイルボイスネットワークと携帯電話とを経由して、上記許可センターから上記支払い端末装置に対してもまた同様に実行されており、上記支払いデータは、支払い端末装置（１０）と携帯電話（１４）との間にて、音声情報として転送される。
2004512607.tif 000002
【特許請求の範囲】
【請求項１】
店舗販売時点情報管理装置および携帯電話（１４）に接続する支払い端末装置（１０）、
モバイルボイスネットワーク（５）および金融情報システムに接続する許可センター（１）、
モバイルボイスネットワーク（５）および支払い端末装置（１０）に接続する携帯電話（１４）を備え、
支払いデータ交換は、上記携帯電話（１４）とモバイルボイスネットワーク（５）とを経由して、支払い端末装置（１０）から許可センター（１）に対して実行され、反対に、モバイルボイスネットワークと携帯電話とを経由して、上記許可センターから上記支払い端末装置に対してもまた同様に実行され、
上記支払いデータは、支払い端末装置（１０）と携帯電話（１４）との間で、音声情報にて転送されることを特徴とする支払いデータ交換システム。
【請求項２】
上記許可センター（１）が、許可センターに電話をかけたユーザの予め規定された発信者識別表示を、ユーザ所有の携帯電話を通して受信した場合、上記支払いデータ交換は開始されることを特徴とする請求項１に記載のシステム。
【請求項３】
上記許可センター（１）が、許可センターに電話をかけたユーザの予め規定された機密保護／認証コードを、ユーザ所有の携帯電話（１４）を通して受信する場合、上記支払いデータ交換は続行されることを特徴とする請求項１または２のうちいずれか１項に記載のシステム。
【請求項４】
上記許可センター（１）は、携帯電話を支払い端末装置（１０）に接続するようにユーザに対して要求する情報を、携帯電話に送信することを特徴とする請求項１〜３のうちいずれか１項に記載のシステム。
【請求項５】
上記支払いデータ交換は、取引データを含んでいることを特徴とする請求項１〜４のうちいずれか１項に記載のシステム。
【請求項６】
上記支払いデータ交換は、取引を承認または拒絶するデータを含んでいることを特徴とする請求項１〜５のうちいずれか１項に記載のシステム。
【請求項７】
上記支払いデータは、支払いデータ交換の機密保護のためにコード化されることを特徴とする請求項１〜６のうちいずれか１項に記載のシステム。
【請求項８】
上記支払い端末装置（１０）は、携帯電話（１４）に支払い端末装置（１０）を解除可能な状態にて接続し、音声情報を転送するためのインターフェイス手段（１９）を備えていることを特徴とする店舗販売時点情報管理装置および携帯電話（１４）に接続するための支払い端末装置（１０）。
【請求項９】
上記支払い端末装置（１０）は、インターフェイス手段（１９）に接続するデータ処理手段（１１）を有しており、
上記データ処理手段（１１）は、インターフェイス手段（１９）から受信したデータを処理するための手段ならびに、インターフェイス手段（１９）に送信するデータを生成および準備するための手段であることを特徴とする請求項８に記載の支払い端末装置。
【請求項１０】
上記支払い端末装置（１０）のインターフェイス手段（１９）は、携帯電話（１４）に接続する接続手段（２０）ならびに、接続手段（２０）および処理手段（１１）に接続するモデム（１２）を備えており、
上記モデム（１２）は、接続手段を経て携帯電話から受信した音声情報を、処理手段に送信するように変換されたデータに変換する、および、処理手段からのデータを、接続手段を経て携帯電話に接続するように準備された音声情報データに変換することを特徴とする請求項９に記載の支払い端末装置。
【請求項１１】
上記接続手段（２０）は、携帯電話（１４）への搬送波として、反対に携帯電話からの搬送波として音声を用いる音響信号の形式にて、音声情報データを転送する音響カプラを備えていることを特徴とする請求項１０に記載の支払い端末装置。
【請求項１２】
上記音響カプラは、携帯電話（１４）のスピーカ（１５）に接続するための送話器（１７）および携帯電話（１４）の送話器（１６）に接続するためのスピーカ（１８）を備えていることを特徴とする請求項１１に記載の支払い端末装置。
【請求項１３】
上記音響カプラの送話器とスピーカとの間の距離は、音響カプラを異なる方式の携帯電話に適合すように調節可能であることを特徴とする請求項１２に記載の支払い端末装置。
【請求項１４】
上記接続手段は、携帯電話のプラグコネクタに接続して、電気的信号形式の音声情報を携帯電話と接続手段との間にて交換するプラグコネクタ手段を備えるまたは、
上記接続手段は、携帯電話の対応するＩＲインターフェイスに接続して、赤外線信号形式の音声情報を接続手段と携帯電話との間にて交換するＩＲインターフェイスを備えるまたは、
上記接続手段は、携帯電話の対応するＲＦインターフェイスに接続して、高周波信号形式の音声情報を接続手段と携帯電話との間にて交換するＲＦインターフェイスを備えることを特徴とする請求項１０に記載の支払い端末装置。
【請求項１５】
上記プラグコネクタ手段は、異なる方式の携帯電話に対応する、異なるタイプのプラグコネクタに接続するために、複数の異なるプラグコネクタを備えることを特徴とする請求項１４に記載の支払い端末装置。
【請求項１６】
上記データ処理手段（１１）は、暗号化機能を備える少なくとも１つの通信プロセッサを有することを特徴とする請求項８から１５のうちいずれか１項に記載の支払い端末装置。
【請求項１７】
上記支払い端末装置（１０）は、データ入力手段を有していることを特徴とする請求項８〜１６のうちいずれか１項に記載の支払い端末装置。
【請求項１８】
上記データ入力手段は、少なくとも１つのキーボードを備えていることを特徴とする請求項１７に記載の支払い端末装置。
【請求項１９】
上記支払い端末装置は、プリンタを備えていることを特徴とする請求項８〜１８のうちいずれか１項に記載の支払い端末装置。
【請求項２０】
上記支払い端末装置は、ディスプレイを備えていることを特徴とする請求項８〜１９のうちいずれか１項に記載の支払い端末装置。
【請求項２１】
上記支払い端末装置（１０）は、請求項１〜７のうちいずれか１項に記載のシステムにおいて用いられることを特徴とする請求項８〜２０のうちいずれか１項に記載の端末装置。
【発明の詳細な説明】
本発明は、例えば、販売機などの店舗販売時点情報管理装置（ｐｏｉｎｔ ｏｆ ｓａｌｅ ｄｅｖｉｃｅ）と許可センター（データ確認、認証、並びに、対応する支払いおよび取引決済方法に責任を持つ構成要素）との間で、金融取引データ（データ確認、承諾、および、支払いデータ）を交換するシステムと、当該システムにて用いられる支払い端末装置に関する。
【０００１】
携帯電話は、世界中でブームになっており、データ通信において、近年、多くの進歩したアプリケーションを提供している。最も新しいサービスの１つが、「エム−コマース（ｍ−ｃｏｍｍｅｒｃｅ）」と一般的に呼ばれる携帯電話による支払いである。また、有効なエム−コマースソリューションがあり、そのソリューションの大部分は、インターネットの全ての利点を携帯電話に提供するための規約であるＷＡＰ（無線アプリケーションプロトコル）技術に基づかれている。他のソリューションでは、特別な端末装置に対して、許可センター、または、加入者もしくはユーザのいずれか一方から発信されたコールを用いている。しかし、エム−コマースの素早い受諾を妨げるサーバ障害が発生し、また特に、非インターネットドメインにおいては、運営コストのみならず、コールの取得に関して周知の支払い端末装置にコストがかかる。とりわけ、この問題は、携帯電話ネットワークおよび電話において、相違した、将来的に新しく確立される、および現在の確立されたデータ通信の規格を全てサポートできるかなり高度な通信インターフェイスを、各支払い端末装置が備えていなければならないという事実によって生じる。
【０００２】
従って、本発明の目的は、システムおよび該システムにて用いられる支払い端末装置を提供することであって、上記システムは、携帯電話を支払い端末装置に接続することで、異なる携帯電話規格から生じる問題およびコストを回避することができる。
【０００３】
本目的は、請求項１に記載のシステムおよび請求項８に記載の支払い端末装置によって達成される。従って、支払いデータの交換または通信に関する本発明のシステムは、店舗販売時点情報管理装置および携帯電話に接続するための支払い端末装置、モバイルボイスネットワーク（ｍｏｂｉｌｅ ｖｏｉｃｅ ｎｅｔｗｏｒｋ）および金融情報システムに接続するための許可センター、モバイルボイスネットワークおよび支払い端末装置に接続するための携帯電話を有しており、支払いデータ交換は、上記携帯電話、そしてモバイルボイスネットワークを経由して上記支払い端末装置から、許可センターに対して実行され、それとは反対に支払いデータ交換は、モバイルボイスネットワークそして、携帯電話を経由して許可センターから支払い端末装置に対して実行される。また、支払いデータは、音声データ情報によって、支払い端末装置と携帯電話との間にて転送される。
【０００４】
本発明の大きな利点は、音声データ情報による携帯電話と支払い端末装置との間の支払いデータの転送である。つまり、音声データ情報は、全ての電話メーカによって考慮されている唯一の規格であり、従って、上記支払い端末装置において、通信インターフェイスの複雑さとそれに関わるコストとを大きく低減させることに役立つ。なお、音声データ情報または音声情報は、モバイルボイスネットワークの音声チャネルによって、転送され交換されることが周知となっている有益なまたは所望される情報の特定形式（ｓｐｅｃｉｆｉｃ ｆｏｒｍ）である。
【０００５】
販売機などの店舗販売時点情報管理装置、および、携帯電話に接続する本発明の支払い端末装置は、支払い端末装置の携帯電話への接続を解除可能とするインターフェイス手段を有している。
【０００６】
電話接続は、ユーザの電話からユーザによって設定され、そのため支払い手続きまたは通話のコストは、ユーザの口座に請求される。ユーザ、支払い端末装置の所有者、販売機などの店舗販売時点情報管理装置の所有者間での契約関係次第では、上記コストは、他の参加団体の口座に請求されてもよい。いすれにせよ、電話接続の設定による操作者側の追加コストは避けられる。
【０００７】
上記支払い端末装置のインターフェイス手段は、携帯電話に接続する接続手段およびモデムを備えることが好ましい。そして、上記モデムは、接続手段を経て、携帯電話によって許可センターから受信した音声データを、処理手段へ送信するデータに変換するために、および、上記処理手段からのデータを、接続手段を経て携帯電話に接続するために用意した音声データに変換するために、上記接続手段と処理手段とに接続される。暗号化したまたは暗号化していない上記データは、このように、携帯電話の音声チャネルを通って転送される。データ変調は、ＤＴＭＦであってもよいし、または上記した音声チャネルを通って転送され得る、いかなる他のデータ変調であってもよい。
【０００８】
上記接続手段は、音響信号形式の音声データ情報を携帯電話に転送する、または逆に携帯電話から上記音声データを転送するための音響カプラを有していることが好ましい。すなわち、上記音声データ情報は、音声自体として、または人間の声の周波数帯域での情報の搬送波としての音声として転送される。また、送話器（ｍｉｃｒｏｐｈｏｎｅ）と音響カプラのスピーカ（ｓｐｅａｋｅｒ）との間の距離は、異なる方式の携帯電話に対して、上記音響カプラを適合するように調節してもよい。音響カプラは、異なる携帯電話自体への適合に関わらず、現在用いられる、それから将来的に用いられるいかなる方式の携帯電話に対しても支払い端末装置の接続を可能とする。一般的に、音響カプラの形状は、携帯電話の送話器を、上記スピーカに合わせることができ、逆に上記スピーカを携帯電話の送話器に合わせることができ、ノイズ状態またはノイズ環境においてでさえ実施可能とし得る。
【０００９】
本発明の好ましい実施形態において、携帯電話に対する上記支払い端末の接続に関していくつかの追加オプションがある。
【００１０】
配線式のオプション（ｔｈｅ ｗｉｒｅｄ ｏｐｔｉｏｎ）に電話する第１オプションでは、接続手段は、携帯電話のプラグコネクタに対して、電気的に接続する電気的プラグコネクタ手段を有しており、情報または音声データ情報を電気的信号の形式にて、携帯電話と接続手段との間で交換する。上記プラグコネクタ手段は、複数の異なるプラグコネクタを備えることで、異なる方式の携帯電話に対応する異なるタイプのプラグコネクタに接続できる。
【００１１】
第２オプションは、ＩＲ（ＩＲ＝赤外線または光）通信であって、上記接続手段または支払い端末のインターフェイス手段は、携帯電話の対応するＩＲインターフェイスと通信するためのＩＲインターフェイス手段を備えており、支払い端末と携帯電話との間で、情報または音声データ情報を赤外線信号の形式にて交換する。これは、例えばＩｒＤＡ標準化通信方式のインターフェイスを備える全ての最新の携帯電話モデルに適用できる。また、このオプションは、より早いデータ転送速度およびより短い転送時間を実現できる。
【００１２】
第３オプションは、ＲＦ（ＲＦ＝高周波）通信であり、接続手段または支払い端末のインターフェイス手段は、携帯電話の対応するＲＦインターフェイスと通信するためのＲＦインターフェイスを備えて、支払い端末と携帯電話との間で情報または音声データ情報をＲＦ信号の形式にて交換する。例えば、ブルートゥース（登録商標）が、この分野においては標準であるが、しかしながら他のＲＦの通信プロトコルでも可能である。ＲＦ通信インターフェイスは、最高のユーザ快適性を実現する非接触取引（ｎｏｎ ｃｏｎｔａｃｔ ｔｒａｎｓａｃｔｉｏｎ）を可能とする。
【００１３】
さらに、好ましい実施形態では、支払い端末装置は、データ処理手段を備えており、上記データ処理手段は、暗号化機能（ｃｒｙｐｔｏｇｒａｐｈｉｃ ｃａｐａｂｉｌｉｔｙ）を有する少なくとも１つの通信プロセッサを有し、データを生成する、またはデータの安全保護コーディングによる高い機密保護性によるデータ通信を確立する。上記暗号化機能は、ＤＥＳ、ＲＳＡなどの方式の異なるものであってもよい。
【００１４】
本発明の支払い端末装置は、１つ以上のキーボードなどのようなデータ入力手段を備えていてもよい。上記キーボードによって、ユーザは、予め規定されるサービスを選択でき、またはＰＯＳ端末に対して金額を指定することができる。
【００１５】
上記支払い端末装置は、例えば、ユーザが望むのであれば実際の支払い手続きの確認を印刷するために、プリンタもしくは、内蔵プリンタ（ｂｕｉｌｔ−ｉｎ ｐｒｉｎｔｅｒ）を備えていてもよい。
【００１６】
また、支払い端末装置は、例えば、支払い手続きの様々なステップをユーザに示したり、または支払い端末装置の操作方法についてユーザに指示を与えたりするためにディスプレイを備えていてもよい。
【００１７】
さらにまた、支払い端末装置は、保守サービス等を提供するために、関連ネットワークに接続するための例えば、ＰＳＴＮモデム、ＩＳＤＮモデム、ケーブルモデム、またはＧＳＭモデムなどの追加通信手段を備えていてもよい。
【００１８】
支払い端末装置は、ＰＯＳコンピュータシステムまたはＢＯＳコンピュータシステムなどのような他のコンピュータシステムに付加的に接続されていてもよい。
【００１９】
本発明のシステムまたは支払い端末装置によって実現され得る多くのアプリケーションがある。すなわち、本発明は、例えば、飲料、食料、タバコ、雑誌、コンドームなどのような様々な製品の販売機において用いることができる。また、ガソリンスタンド、コピー機、インターネット接続、洗車、ランドリー、ジュークボックス、駐車場などのような、ポスステーションとしての公共のセルフサービスステーションにおいても、本発明の支払い端末装置を用いることができる。さらに、バス、電車、映画などの様々なチケット購買ステーションにおいても、本発明を用いることができる。また、クレジットカード、銀行小切手、現金などのような購買に対する従来の請求書発行方法を用いるインターネットショッピング、テレビショッピング（ＴＶ ｓａｌｅｓ）および他のビジネスなど、様々な店舗（ＥＦＴＰＯＳ）に対する支払いの認証および実行では、本システムまたは本発明の支払い端末装置を用いることができる。
【００２０】
さらにまた、本発明の実施形態の利点は、従属クレームにおいて言及される。
【００２１】
本発明の利点、有利な実施形態および付加的用途は、開示される唯一の図と共に、本発明の好ましい実施形態についての以下の解説によって提供される。そして、上記図は、
図１、本発明の好ましい実施形態による、支払い端末装置を用いるシステムの概略図を示す。
【００２２】
図１は、クレジットカードの認証に用いられるものと類似しており、データ通信接続６によって銀行など他の金融情報システムに接続されていてもよい許可センター１、ＧＳＭネットワークのようなモバイルボイスネットワーク５または携帯電話ネットワーク、携帯電話１４、および、ユーザの上記携帯電話１４に接続され、データ通信接続１３を経由して店舗販売時点情報管理ステーションまたは手段に接続される支払い端末装置１０を備える本発明のシステムの実施形態を示す。
【００２３】
上記許可センター１は、許可センター１をモバイルボイスネットワーク５に接続する通信インターフェイス４、各ユーザに関するデータ、例えば、各ユーザに割り当てられた少なくとも電話番号と、対応するＰＩＮコードおよび契約した支払い方法（例えば、クレジットカード、銀行預金口座などからの支払い方法）とを保存し、随意的に、総合ＣＲＭ（すなわち、顧客購買の完全情報であって、個人別のサービス、宣伝などを可能とする）と、ユーザの暗号とを保存する加入者データベース２、ならびに、データ通信接続６によって他の金融情報システムに接続する取引インターフェイス３を備えている。上記取引インターフェイス３は、双方向データ接続２１によって、通信インターフェイス４に接続する。また、上記加入者データベース２は、データ通信回線２２によって、取引インターフェイス３と通信インターフェイス４に接続する。
【００２４】
支払い端末装置１０は、データ処理手段１１と、双方向データ通信回線２３またはバスによって、例えばシリアルまたはパラレルデータ接続にて、データ処理手段１１に接続し、情報２４の搬送波として音声を用いて、上記携帯電話１４に接続するインターフェイス手段１９とを備える。上記データ処理手段は、マイクロコンピュータシステムまたは通信プロセッサを基礎としており、随意的に
上記データ通信回線または信号回線１３によって、ＰＯＳ手段、要求／解除メカニズム、ＰＯＳ手段のユニット、販売機、同様の装置いずれかに接続する。
【００２５】
上記支払い端末装置１０のインターフェイス手段１９は、モデム１２および上記モデム１２を携帯電話１４に接続する接続手段２０を備えている。上記接続手段２０は、転送するために音響接続（ａｃｏｕｓｔｉｃ ｃｏｕｐｌｉｎｇ）または拡声器１８および送話器１７を利用する音響カプラを用いてもよい。また、接続手段２０は、上記接続手段２０の音響カプラに備え付けられた、または実装された携帯電話１４の送話器１６および拡声器１５夫々に対する搬送波として、音声を利用する接続情報を用いてもよい。
【００２６】
本発明のシステムを用いることを可能とするには、ユーザは、携帯電話１４を所有しなければならないし、ユーザは、許可センター１にユーザのみの特別なアカウントを設定しなければならない。アカウントの設定は、基本的にはユーザと許可センター１との間での契約であって、そこで両者は、協力項目を規定する。上記項目には、１以上の携帯電話番号（例えば、ＳＩＭカード番号）、支払い方法（例えば、振替、クレジットカードなど）、随意的に、両者の機密保護を高めるための付加的サービス（例えば、取引制限、機密保護／認証コードなど）、および、随意的に、ユーザのフレキシビリティーを向上させる付加的サービス（例えば、複数アカウントなど）がある。ユーザは、許可センター１の加入者データベース２に保存された契約の項目を、許可センター１のユーザサポートサービスから、また、インターネットサービス、ＷＡＰ、および類似のサービスから変更し得る。上記許可センターは、ユーザの要求に応じて、または、上記センターの営業方針の枠組みの中で、各ユーザの特別な識別コードを割り当てる。そして、上記各ユーザの特別な識別コードは、本発明のシステムに参加する場合、ユーザの携帯電話番号を他の加入者に対して明かさないようにするために、および、ユーザのプライバシーに保護を与えるために用いられる。
【００２７】
次に、図１に示す本発明のシステムが用いられた場合の典型的な支払い手続きを記す。
【００２８】
第１ステップにおいて、ユーザは、レジ係にてまたは支払い端末装置１０を用いる装置にて買い物をすることを決める。そして、ユーザは、モバイルボイスネットワーク５を経由して、許可センター１に電話するために、ユーザの携帯電話１４を用いる。
【００２９】
第２ステップにおいて、上記許可センター１ーは、発信者が本システムの登録ユーザであるかどうかを確証し、決めるために発信者識別（ｔｈｅ ｃａｌｌｅｒ ｉｄｅｎｔｉｔｙ）を用いる。照合に成功しない場合は、許可センター１は、ユーザまたは携帯電話の呼び出しに対する接続を終了する。
【００３０】
前の段落にて記された照合に成功した後、加入者データベース２におけるアカウント項目が、ユーザの認証を要求する場合は、ユーザは、自身の機密保護／認証コードを入力するように求められる。そして、ユーザは、携帯電話１４のキーパッドによって上記コードを入力する。次のステップにおいて、許可センター１は、モバイルボイスネットワーク５を経由して携帯電話１４から受信した機密保護／認証コードと、加入者データベース２に保存される機密保護／認証コードとをチェックし、比較する。認証が成功しない場合（すなわち、入力されたコードが、データベースのコードに一致しない場合）、許可センター１は、接続を終了する。認証が成功する場合は、許可センター１は、ユーザに支払い端末装置１０の接続手段２０の音響カプラにむけて携帯電話を繋ぐようにユーザに指示する。上記支払い端末装置は、例えばディスプレイ上に、携帯電話を音響カプラに繋ぐ方法についてのユーザ情報を示す。
【００３１】
次のステップにおいて、支払い端末装置１０と許可センター１とは、携帯電話１４によって確立された音声チャネルを経由して、要求される取引データ、または支払いデータを交換する。上記取引データは、支払い端末装置１０の側の処理手段１１と、許可センター１の通信インターフェイス４とにおいて実行される暗号化機能によってコード化されてもよい。また、上記処理手段１１では、支払い端末装置１０側で、取引データの交換を制御する。
【００３２】
さらに次のステップでは、許可センター１は、ユーザのアカウントの指定（取引は、・・・に限定する。）に対応する取引データかどうかを確認し、取引を承認または、拒絶する。取引センター１によって、取引が承認されたならば、支払い端末装置１０は、コネクション１３を経由して、処理手段１１によって生成された信号またはデータを、解除メカニズムまたはＰＯＳ端末、販売機などに送信して支払済み商品を引き渡す、または、上記した装置などから提供されるサービスを承認する、または販売員による販売の場合は、視覚的に承認を表示する。
【図面の簡単な説明】
【図１】
本発明の好ましい実施形態による、支払い端末装置を用いるシステムの概略図である。
【図１】
2004512607.tif 000003
【国際公開パンフレット】
2004512607.tif 000004
2004512607.tif 000005
2004512607.tif 000006
2004512607.tif 000007
2004512607.tif 000008
2004512607.tif 000009
2004512607.tif 000010
2004512607.tif 000011
2004512607.tif 000012
2004512607.tif 000013
2004512607.tif 000014
2004512607.tif 000015
2004512607.tif 000016
2004512607.tif 000017
2004512607.tif 000018
2004512607.tif 000019
2004512607.tif 000020
【手続補正書】
【提出日】平成15年2月6日(2003.2.6)
【手続補正１】
【補正対象書類名】明細書
【補正対象項目名】特許請求の範囲
【補正方法】変更
【補正の内容】
【特許請求の範囲】
【請求項１】
許可センター（１）に接続するために、店舗販売時点情報管理装置と携帯電話（１４）とに接続する支払い端末装置（１０）であって、
上記支払い端末装置（１０）は、支払い端末装置（１０）を上記携帯電話（１４）に対して解除可能な状態で接続し、音声情報データを支払い端末装置（１０）と許可センター（１）との間にて、携帯電話（１４）を経由して交換するインターフェイス手段（１９）を備え、
さらに上記支払い端末装置（１０）は、インターフェイス手段（１９）から受信したデータを処理するために、およびインターフェイス手段（１９）に送信するデータを生成するために、インターフェイス手段（１９）に接続するデータ処理手段（１１）を備えており、
上記インターフェイス手段（１９）は、携帯電話（１４）に接続する接続手段（２０）、ならびに上記携帯電話と上記接続手段とを経由して、許可センター（１）から受信したデータを、処理手段（１１）に送信するデータに変換するため、および処理手段（１１）から受信したデータを、接続手段と携帯電話とを経由して、上記許可センター（１）へ送信するように適合された音声データに変換するために、上記接続手段（２０）と上記処理手段（１１）とに接続されるモデムを備え、
上記接続手段（２０）は、音声データを許可センター（１）に携帯電話（１４）を経由して転送するため、また反対に、音声データを許可センター（１）から携帯電話（１４）を経由して転送するための音響カプラを備えていることを特徴とする支払い端末装置。
【請求項２】
上記音響カプラは、携帯電話（１４）のスピーカ（１５）に接続するための送話器（１７）および携帯電話（１４）の送話器に接続するためのスピーカ（１８）を備えていることを特徴とする請求項１に記載の支払い端末装置。
【請求項３】
上記送話器と上記カプラとの間の距離は、音響カプラを異なる方式の携帯電話に適合すように調節可能であることを特徴とする請求項１または２のうちいずれか１項に記載の支払い端末装置。
【請求項４】
上記接続手段（２０）は、上記携帯電話のプラグコネクタに接続するプラグコネクタ手段を有し、電気信号形式にて音声データ情報を、上記携帯電話と上記接続手段との間で交換することを特徴とする請求項１〜３のうちいずれか１項に記載の支払い端末装置。
【請求項５】
上記接続手段は、携帯電話の対応するＩＲインターフェイスに接続して、赤外線信号形式の音声データ情報を接続手段と携帯電話との間にて交換するＩＲ（赤外線／赤外光）インターフェイスを有することを特徴とする請求項１〜３のうちいずれか１項に記載の支払い端末装置。
【請求項６】
上記接続手段は、携帯電話の対応するＲＦインターフェイスに接続して、高周波信号形式の音声データ情報を接続手段と携帯電話との間にて交換するＲＦ（高周波）インターフェイスを有することを特徴とする請求項１〜３のうちいずれか１項に記載の支払い端末装置。
【請求項７】
上記プラグコネクタ手段は、異なる方式の携帯電話に対応する、異なるタイプのプラグコネクタに接続するために、複数の異なるプラグコネクタを備えることを特徴とする請求項４に記載の支払い端末装置。
【請求項８】
上記データ処理手段（１１）は、暗号化機能を有する、少なくとも通信プロセッサを備えることを特徴とする請求項１〜７のうちいずれか１項に記載の支払い端末装置。
【請求項９】
上記支払い端末装置（１０）は、データ入力手段を備えることを特徴とする請求項１〜８のうちいずれか１項に記載の支払い端末装置。
【請求項１０】
上記データ入力手段は、少なくとも１つのキーボードを備えていることを特徴とする請求項９に記載の支払い端末装置。
【請求項１１】
上記支払い端末装置は、プリンタを備えていることを特徴とする請求項１〜１０のうちいずれか１項に記載の支払い端末装置。
【請求項１２】
上記支払い端末装置は、ディスプレイを備えていることを特徴とする請求項１〜１１のうちいずれか１項に記載の支払い端末装置。
【請求項１３】
店舗販売時点情報管理装置および携帯電話（１４）に接続する支払い端末装置（１０）、
モバイルボイスネットワーク（５）および金融情報システムに接続する許可センター（１）、
モバイルボイスネットワーク（５）および支払い端末装置（１０）に接続する携帯電話（１４）を備え、
支払いデータ交換は、上記携帯電話（１４）とモバイルボイスネットワーク（５）とを経由して、支払い端末装置（１０）から許可センター（１）に対して実行され、反対に、モバイルボイスネットワークと携帯電話とを経由して、上記許可センター（１）から上記支払い端末装置に対してもまた同様に実行され、
上記支払いデータは、支払い端末装置（１０）と携帯電話（１４）との間で、音声情報にて転送されることを特徴とする支払いデータ交換システム。
【請求項１４】
上記許可センター（１）が、許可センターに電話をかけたユーザの予め規定された発信者識別表示を、ユーザ所有の携帯電話を通して受信する場合、上記支払いデータ交換は開始されることを特徴とする請求項１３に記載のシステム。
【請求項１５】
上記許可センター（１）が、許可センターに電話をかけたユーザの予め規定された機密保護／認証コードを、ユーザ所有の携帯電話（１４）を通して受信する場合、上記支払いデータ交換は続行されることを特徴とする請求項１３または１４のうちいずれか１項に記載のシステム。
【請求項１６】
上記許可センター（１）は、携帯電話を支払い端末装置（１０）に接続するようにユーザに対して要求する情報を、携帯電話に送信することを特徴とする請求項１３〜１５のうちいずれか１項に記載のシステム。
【請求項１７】
上記支払いデータ交換は、取引データを含んでいることを特徴とする請求項１３〜１６のうちいずれか１項に記載のシステム。
【請求項１８】
上記支払いデータ交換は、取引を承認または拒絶するデータを含んでいることを特徴とする請求項１７に記載のシステム。
【請求項１９】
上記支払いデータは、支払いデータ交換の機密保護のためにコード化されることを特徴とする請求項１３〜１８のうちいずれか１項に記載のシステム。
【請求項２０】
上記支払い端末装置（１０）は、携帯電話（１４）に支払い端末装置（１０）を解除可能な状態にて接続し、音声データ情報を、上記携帯電話（１４）を経由して、支払い端末装置（１０）と許可センター（１）との間で交換するインターフェイス手段（１９）を備えており、
さらに上記支払い端末装置は、インターフェイス手段（１９）から受信したデータを処理するために、および、インターフェイス手段（１９）に送信するデータを生成するために、インターフェイス手段（１９）に接続するデータ処理手段（１１）を備え、
上記インターフェイス手段（１９）は、携帯電話（１４）に接続する接続手段（２０）ならびに、携帯電話、接続手段を経由して、許可センター（１）から受信したデータを処理手段（１１）に送信するデータに変換するため、および、処理手段（１１）からのデータを、接続手段、携帯電話を経由して、上記許可センター（１）に対する送信に適合する音声データに変換するために、接続手段（２０）と処理手段（１１）とに接続するモデム（１２）を備えており、
上記接続手段（２０）は、携帯電話（１４）を経由して、音声データを許可センター（１）に転送する、また反対に、携帯電話（１４）を経由して、音声データを許可センター（１）から転送する音響カプラを備えていることを特徴とする請求項１３〜１９のうちいずれか１項に記載のシステム。
【請求項２１】
支払い端末装置（１０）を作動するための認証方法であって、
上記支払い端末装置は、音響カプラを備え、店舗販売時点情報管理（ＰＯＳ）装置に接続されており、上記方法は、
支払い端末装置（１０）の音響カプラにて、携帯電話（１４）を受信して、上記携帯電話（１４）を許可センター（１）に接続する工程、
携帯電話（１４）によって確立される音声チャネルを経由して、上記許可センター（１）によって、取引データの交換を行う工程、
上記許可センター（１）からの承認または拒絶を受信する工程、および
上記許可センターから承認を受信する場合は、上記ＰＯＳ装置に承認信号を出力する工程を含むことを特徴とする認証方法。
【請求項２２】
上記交換された取引データをコーディングする工程をさらに含むことを特徴とする請求項２１に記載の認証方法。
【請求項２３】
支払い手続きの確認を印刷する工程をさらに含むことを特徴とする請求項２１に記載の認証方法。
【請求項２４】
支払いデータ交換システムを作動するための認証方法であって、
店舗販売時点情報管理（ＰＯＳ）装置、支払い端末装置（１０）、許可センター（１）、及び携帯電話（１４）を備え、上記ＰＯＳ装置は、上記支払い端末装置（１０）に接続され、支払い端末装置（１０）は、音響カプラを備えており、上記方法は、
モバイルボイスネットワーク（５）を経由して、携帯電話（１４）と許可センター（１）との間の接続を確立する工程、
上記許可センター（１）にて、発信者の識別を用いて、発信者が当該システムの登録されたユーザであるかどうか決定する工程、
上記発信者が、当該システムの登録されたユーザである場合は、ユーザに対して携帯電話（１４）を支払い端末装置（１０）に接続するように要求する情報を、許可センター（１）から携帯電話（１４）に送信する工程、
支払い端末装置（１０）の音響カプラにて携帯電話（１４）を受信する工程、
上記携帯電話（１４）によって確立された音声チャネルを経由して、支払い端末装置（１０）と許可センター（１）との間にて、取引データを交換する工程、
上記支払い端末装置（１０）にて、許可センター（１）からの承認または拒絶を受信する工程、および、
許可センターから承認を受信する場合は、支払い端末装置（１０）からＰＯＳ装置に承認信号を出力する工程を含むことを特徴とする認証方法。
【請求項２５】
上記許可センター（１）が、許可センター（１）に電話をかけたユーザの予め規定された機密保護／認証コードを、ユーザ所有の携帯電話（１４）を通して受信する場合、上記取引データを交換する工程を続行する工程をさらに含むことを特徴とする請求項２４に記載の認証方法。
【請求項２６】
ユーザが、当該システムに登録されたユーザであるかという許可センター（１）での照合が成功しない場合は、携帯電話の呼び出しへの接続を終了する工程をさらに含むことを特徴とする請求項２４に記載の認証方法。
【請求項２７】
上記支払いデータ交換は、取引情報を含むことを特徴とする請求項２４に記載の認証方法。
【請求項２８】
支払いデータ交換の機密保護のために、支払いデータをコーディングおよびデコーディングする工程をさらに含むことを特徴とする項請求項２４に記載の認証方法。
【国際調査報告】
2004512607.tif 000021
2004512607.tif 000022
2004512607.tif 000023